(57)【要約】      （修正有）【課題】複数種類のインデックス紙を使用した場合に、適切にインデックス紙を挿入することができる画像形成装置を提供する。【解決手段】印刷物を区切るために方向性、順番性のある特定用紙束を挿入する方法を設定する手段と、前記特定用紙束を挿入する際に不要になる挿入用紙を排出する挿入用紙整理手段と、用紙挿入機能で使用する前記特定用紙束を構成する挿入用紙枚数をあらわすサイクル数、前記挿入用紙を挿入する箇所数、および、前記用紙挿入方法設定手段にて設定された用紙挿入方法に基づいて、前記特定用紙束における不要な挿入用紙の有無と当該不要になる挿入用紙枚数を判断する用紙整理実施判断手段と、その判断により前記特定用紙束における不要な挿入用紙を判断する整理実施対象選定手段とを備え、前記用紙挿入機能で利用される前記特定用紙束が複数種ある場合に、それぞれに対して不要になった挿入用紙を自動的に機外に排出するようにした。【選択図】        図１９
2006248672.tif 000002
【特許請求の範囲】
【請求項１】
画像を紙に印刷する際に、印刷したものをあるまとまりに区切るために、複数種類の特定用紙束を用いて印刷物の特定箇所に前記特定用紙束を構成する挿入用紙を挿入することが可能な画像形成装置において、
印刷物を区切るために方向性、順番性のある前記特定用紙束を挿入する方法を設定する用紙挿入方法設定手段と、
前記特定用紙束を挿入する用紙挿入機能を実行する際に不要になる前記挿入用紙を排出する挿入用紙整理手段と、
用紙挿入機能で使用する前記特定用紙束を構成する挿入用紙枚数をあらわすサイクル数、前記挿入用紙を挿入する箇所数、および、前記用紙挿入方法設定手段にて設定された用紙挿入方法に基づいて、前記特定用紙束における不要な挿入用紙の有無と当該不要になる挿入用紙枚数を判断する用紙整理実施判断手段と、
前記用紙整理実施判断手段が判断した前記不要になる挿入用紙枚数に基づいて、前記特定用紙束における不要な挿入用紙をを判断する整理実施対象選定手段とを備え、
前記用紙挿入機能で利用される前記特定用紙束が複数種ある場合に、それぞれの前記特定用紙束に対して不要になった挿入用紙を自動的に機外に排出することを特徴とする画像形成装置。
【請求項２】
複数の前記特定用紙束を使用した場合、印刷物全体で一貫した順序で前記挿入用紙の挿入を行ない、それに伴い不要になる前記挿入用紙の自動排出を行なうことを特徴とする請求項１記載の画像形成装置。
【請求項３】
複数の前記特定用紙束を使用した場合、前記特定用紙束の種類ごとに大項目、小項目などの項目設定が可能で、これに合わせて不要になる挿入用紙の自動排出を行なうことを特徴とする請求項１記載の画像形成装置。
【請求項４】
複数の前記特定用紙束を使用した場合、印刷処理で不要になる挿入用紙の排出先を、前記特定用紙束の種類に応じて設定することを特徴とする請求項１記載の画像形成装置。
【発明の詳細な説明】
【技術分野】
【０００１】
本発明は、画像を紙に印刷する際に、印刷したものをあるまとまりに区切るために、複数種類の特定用紙束を用いて印刷物の特定箇所に前記特定用紙束を構成する挿入用紙を挿入することが可能な画像形成装置に関する。
【背景技術】
【０００２】
従来、あるまとまった単位で区分け、区切りを施した印刷物を作成可能にするために、印刷物の所定箇所に何らかの用紙（特定用紙束）を挿入できる画像形成装置が知られている。これらの画像形成装置では、区切りや区分けのために利用する挿入用紙として、インデックス紙（タブ紙ともいう）のようにある所定の枚数（以降、「サイクル数」という）を組み合わせて１つの単位（束）になるものを利用することがある。
【０００３】
しかし、このインデックス紙を利用する場合、次のような問題がある。インデックス紙はある所定の枚数をもって１組となるために、印刷部数や印刷物を区切る箇所の総数によって、余ってしまう(不要になる)用紙が発生するため、繰り返しコピーや印刷を行なうと、余ってしまった用紙のお陰で印刷物の仕上がりがきちんと揃わないという問題である。
【０００４】
例えば、サイクル数６のインデックス紙を使用して、印刷物の区切り箇所を３箇所にすると、３枚のインデックス紙が余る。このまま次のコピーや印刷を行なうと、４枚目からのインデックス紙が挿入されるために、ユーザの想定通りの仕上がりを提供できない。
【０００５】
このような問題を解消するために、従来技術としてユーザにあらかじめ余剰なインデックス紙を取り除いた上でセットさせるようなものや、１部出力するごとに余剰のインデックス紙を自動排出するものが提案されている。
【０００６】
なかでも、特許文献１に開示されたものでは、ユーザによる余剰インデックス紙の除去の手間を軽減するために、インデックス紙の枚数とインデックス紙の挿入箇所数に関するユーザ設定から、余剰になるインデックス紙を判別し、これを自動的に排出する方法を利用している。また、余剰なインデックス紙を自動排出する際にステープルなどの後処理を行なうことによって印刷物と同じ場所に排出された場合もユーザによる余剰インデックス紙の除去を軽減できるようにしている。
【特許文献１】特開２００２−３０６３号公報
【発明の開示】
【発明が解決しようとする課題】
【０００７】
しかし、これらの従来技術では、挿入用紙に複数種類のインデックス紙を使用した場合が想定されていないので、次に示すような課題があると考えられる。
【０００８】
（１）  印刷物の区切りや区分けなどに複数種類の挿入用紙を使用した場合に、仕上がりが整わない。
【０００９】
（２）  複数種類の挿入用紙を使用すると、全体的に一貫したインデックスにできない。例えば、図１９に示すように、異なる色合いのインデックス紙を用いて、印刷物を仕分けたい場合、このような仕上がりを実現することができない。
【００１０】
（３）  用紙挿入機能の設定が煩わしい。設定ミス(ヒューマンエラー)が発生しやすい。
【００１１】
（４）  印刷物の区切りや区分けなどに複数種類の挿入用紙を使用した場合に、自動排出で排出された不要挿入用紙束を整理しなければならないため、手間がかかる。
【００１２】
本発明は、かかる実情に鑑みてなされたものであり、複数種類のインデックス紙を使用した場合に、適切にインデックス紙を挿入することができる画像形成装置を提供することを目的としている。
【課題を解決するための手段】
【００１３】
本発明は、画像を紙に印刷する際に、印刷したものをあるまとまりに区切るために、複数種類の特定用紙束を用いて印刷物の特定箇所に前記特定用紙束を構成する挿入用紙を挿入することが可能な画像形成装置において、印刷物を区切るために方向性、順番性のある前記特定用紙束を挿入する方法を設定する用紙挿入方法設定手段と、前記特定用紙束を挿入する用紙挿入機能を実行する際に不要になる前記挿入用紙を排出する挿入用紙整理手段と、用紙挿入機能で使用する前記特定用紙束を構成する挿入用紙枚数をあらわすサイクル数、前記挿入用紙を挿入する箇所数、および、前記用紙挿入方法設定手段にて設定された用紙挿入方法に基づいて、前記特定用紙束における不要な挿入用紙の有無と当該不要になる挿入用紙枚数を判断する用紙整理実施判断手段と、前記用紙整理実施判断手段が判断した前記不要になる挿入用紙枚数に基づいて、前記特定用紙束における不要な挿入用紙をを判断する整理実施対象選定手段とを備え、前記用紙挿入機能で利用される前記特定用紙束が複数種ある場合に、それぞれの前記特定用紙束に対して不要になった挿入用紙を自動的に機外に排出するようにしたものである。
【００１４】
また、複数の前記特定用紙束を使用した場合、印刷物全体で一貫した順序で前記挿入用紙の挿入を行ない、それに伴い不要になる前記挿入用紙の自動排出を行なうようにしたものである。
【００１５】
また、複数の前記特定用紙束を使用した場合、前記特定用紙束の種類ごとに大項目、小項目などの項目設定が可能で、これに合わせて不要になる挿入用紙の自動排出を行なうようにしたものである。
【００１６】
また、複数の前記特定用紙束を使用した場合、印刷処理で不要になる挿入用紙の排出先を、前記特定用紙束の種類に応じて設定するようにしたものである。
【発明の効果】
【００１７】
したがって、本発明によれば、設定されたインデックス紙（特定用紙束）全てに対して、不要になるインデックス紙の自動整理をするので、印刷物を区分けする際に、複数種のインデックスを使用する場合でも、インデックスが揃った見栄えの良い仕上がりを提供できるという効果を得る。また、挿入用途に応じて挿入用紙がどの程度必要になるかをユーザ自身がわざわざ計算してセットするような手間を省くことができるという効果も得る。
【発明を実施するための最良の形態】
【００１８】
以下、添付図面を参照しながら、本発明の実施の形態を詳細に説明する。
【００１９】
図１は、本発明の一実施例にかかる画像形成装置の構成例を示している。
【００２０】
同図において、自動原稿送り装置（以後ＡＤＦ）１にある、原稿台２に原稿の画像面を上にして置かれた原稿束は、操作部３０上のプリントキー３４が押下されると、一番下の原稿から給送ローラ３、給送ベルト４によってコンタクトガラス６上の所定の位置に給送される。
【００２１】
また、この画像形成装置は、一枚の原稿を給送完了により原稿枚数をカウントアップするカウント機能を有している。
【００２２】
給送された原稿は読み取りユニット５０によってコンタクトガラス６上の原稿の画像データを読み取り後、読み取りが終了した原稿は、給送ベルト４および排送ローラ５によって排出される。
【００２３】
さらに、原稿セット検知７にて原稿台２に次の原稿が有ることを検知した場合、前原稿と同様にコンタクトガラス６上に給送される。
【００２４】
給送ローラ３、給送ベルト４、排送ローラ５は搬送モータ２６によって駆動される。
【００２５】
第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。
【００２６】
読み取りユニット５０にて読み込まれた画像データは、書き込みユニット５７からのレーザーによって感光体１５に書き込まれ、現像ユニット２７を通過することによってトナー像が形成される。
【００２７】
そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００２８】
後処理装置のフィニシャ１００は、本体の排紙ローラ１９によって搬送された転写紙を、通常、排紙ローラ１０２方向、あるいは、ステープル処理部方向へ導くことができる。
【００２９】
切り替え板１０１を上に切り替えることにより、搬送ローラ１０３を経由して通常排紙トレイ１０４側に排紙することができる。
【００３０】
また、切り替え板１０１を下方向に切り替えることで、搬送ローラ１０５，１０７を経由して、ステープル台１０８へ搬送することができる。
【００３１】
ステープル台１０８に積載された転写紙は、一枚排紙されるごとに紙揃え用のジョガー１０９によって、紙端面が揃えられ、一部のコピー完了とともにステープラ１０６によって綴じられる。ステープラ１０６で綴じられた転写紙群は自重によって、ステープル完了排紙トレイ１１０に収納される。
【００３２】
一方、通常の排紙トレイ１０４は前後に移動可能な排紙トレイである。前後に移動可能な排紙トレイ部１０４は、原稿毎、あるいは、画像メモリによってソーティングされたコピー部毎に、前後に移動し、簡易的に排出されてくるコピー紙を仕分けるものである。
【００３３】
転写紙の両面に画像を作像する場合は、各給紙トレイ８〜１０から給紙され作像された転写紙を排紙トレイ１０４側に導かないで、経路切り替えの為の分岐爪１１２を上側にセットすることで、一旦、両面給紙ユニット１１１にストックする。
【００３４】
その後、両面給紙ユニット１１１にストックされた転写紙は再び感光体１５に作像されたトナー画像を転写するために、両面給紙ユニット１１１から再給紙され、経路切り替えの為の分岐爪１１２を下側にセットし、排紙トレイ１０４に導く。
【００３５】
この様に転写紙の両面に画像を作成する場合に両面給紙ユニット１１１は使用される。また、画像の載った転写紙の裏面に印字を行なう際にも両面給紙ユニット１１１を用いて転写紙の裏表を変える。
【００３６】
感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【００３７】
図２は、操作部３０の構成例を示した図である。
【００３８】
操作部３０には、液晶タッチパネル３１、テンキー３２、クリア／ストップキー３３、プリントキー３４、予熱キー３５、リセットキー３６、初期設定キー３７があり、液晶タッチパネル３１には、各種機能キーおよび画像形成装置の状態を示すメッセージなどが表示される。
【００３９】
オペレータが液晶タッチパネル３１に表示されたキーにタッチすることで、選択された機能を示すキーが黒く反転する。また、機能の詳細を指定しなければならない場合（例えばページ印字の種類等）はキーにタッチすることで詳細機能の設定画面が表示される。このように、液晶タッチパネルは、ドット表示器を使用している為、その時の最適な表示をグラフィカルに行なうことが可能である。
【００４０】
初期設定キー３７を押すことで、機械の初期状態を任意にカスタマイズすることが可能である。機械が収納している用紙サイズを設定したり、コピー機能のリセットキーを押したときに設定される状態を任意に設定したりすることが可能である。
【００４１】
また、一定時間操作が無いときに優先して選択されるアプリケーション等も選択すること、国際エネルギースター計画に従った低電力への移行時間の設定や、オートオフ／スリープモードへの移行する時間を設定することが可能である。
【００４２】
予熱キー３５を押すと、機械は待機状態から、電力低減状態に移行し、定着温度を低下させたり、操作部の表示を消灯したりする。予熱状態は、国際エネルギースター計画で言う、低電力状態を意味している。また、予熱状態、オフ状態／スリープ状態を解除し、待機状態に移行させるには、この予熱キーを再度押下する。
【００４３】
コピーキー３８の押下により、コピー機能の使用が可能である。そのほか、コピーサーバーキー３９は、既存の蓄積画像データの編集（コピーモード設定、印刷、削除）を行なうときに使用する。スキャナアプリキー４１は原稿を機器内部の記憶装置に蓄積するとき、スキャナより読み取った入力画像や蓄積されている画像データなどを外部に送信するとき等に使用する。
【００４４】
図３は、操作部３０の液晶タッチパネル３１の表示の一例を示している。
【００４５】
オペレータが液晶タッチパネル３１に表示されたキーにタッチすることで、選択された機能を示すキーが黒く反転する。
【００４６】
また、機能の詳細を指定しなければならない場合（例えば変倍であれは変倍値等）は、キーにタッチすることで、詳細機能の設定画面が表示される。このように、液晶タッチパネルは、ドット表示器を使用している為、その時の最適な表示をグラフィカルに行なうことが可能である。
【００４７】
図３において左上は、「コピーできます」、「お待ちください」等のメッセージを表示するメッセージエリア、その右は、セットした枚数を表示するコピー枚数表示部、転写紙を自動的に選択する自動用紙選択キー、コピーを一部ずつページ順にそろえる処理を指定するソートキー、コピーをページ毎に仕分けする処理を指定するスタックキー、ソート処理されたものを一部ずつ綴じる処理を指定するステープルキー、倍率を等倍にセットする等倍キー、拡大／縮小倍率をセットする変倍キー、両面モードを設定する両面キー、とじ代モード等を設定する編集キー、表紙／合紙モードを設定する表紙／合紙キー、デジタル複写機のネットワークを介して多量のプリント動作を複数に分けてプリントアウトする連結モードキーである。
【００４８】
また、給紙トレイ数に対応した給紙トレイ状態を示し、手動で給紙段を設定するためのキーが給紙段分表示されている。
【００４９】
図４は、メインコントローラを中心に、制御装置を図示したものである。
【００５０】
メインコントローラ２０は画像形成装置全体を制御する。
【００５１】
メインコントローラ２０には、オペレータに対する表示、オペレータからの機能設定入力制御を行なう操作部３０、スキャナの制御、原稿画像を画像メモリに書き込む制御、画像メモリからの作像を行なう制御等を行なう画像処理ユニット（ＩＰＵ）４９、原稿自動送り装置（ＡＤＦ）１、等の分散制御装置が接続されている。各分散制御装置とメインコントローラ２０は必要に応じて機械の状態、動作司令のやりとりを行っている。
【００５２】
また、紙搬送等に必要なメインモータ２５、各種クラッチ２１〜２４も接続されている。
【００５３】
ここで、図１に戻り、画像形成装置の原稿読み取りから、画像の書き込みまでを説明する。
【００５４】
読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。
【００５５】
露光ランプ５１および第１ミラー５２は図示しない第１キャリッジ上に固定され、第２ミラー５５および第３ミラー５６は図示しない第１キャリッジ上に固定されている。原稿像を読み取るときには、光路長が変わらないように、第１キャリッジ第２キャリッジとが２対１の相対速度で機械的に操作される。
【００５６】
この光学走査系は、図示しないスキャナ駆動モータにて駆動される。原稿画像は、ＣＣＤイメージセンサ５４によって読み取られ、電気信号に変換されて処理される。
【００５７】
書き込みユニット５７はレーザ出力ユニット５８、結像レンズ５９、ミラー６０で構成され、レーザ出力ユニット５８の内部には、レーザ光源であるレーザダイオードおよびモータによって高速で定速回転する多角形ミラー（ポリゴンミラー）が備わっている。
【００５８】
書き込みユニット５７から出力されるレーザ光が、画像作像系の感光体１５に照射される。図示しないが感光体１５の一端近傍のレーザビームを照射される位置に、主走査同期信号を発生するビームセンサが配置されている。
【００５９】
図５は、画像処理ユニット（ＩＰＵ）４９の内部構成の一例を示している。
【００６０】
露光ランプ５１から照射された光の反射を、ＣＣＤイメージセンサ５４にて光電変換し、Ａ／Ｄコンバータ６１にてデジタル信号に変換する。
【００６１】
デジタル信号に変換された画像信号は、シェーディング補正６２がなされた後、画像処理部６３にてＭＴＦ補正、γ補正等がなされる。
【００６２】
その後、印字合成部７１を介して入力した画像データを変倍回路７６へ、或いは、画像メモリコントローラ６５へ切り替えて供給するものであり、変倍回路７７を経由した画像信号は変倍率に合せて拡大縮小され、書き込みユニット５７に送られる。
【００６３】
一方、画像メモリコントローラ６５とセレクタ６４間は、双方向に画像信号を入出力可能な構成となっている。
【００６４】
なお、図５には特に明示していないが、ＩＰＵ４９には読み取りユニット５０から入力される画像データ以外にもＩ／Ｏポート６７を介して外部から供給される画像データ、例えば、パーソナルコンピュータ等のデータ処理装置から入力したデータも処理できるよう、複数データの入出力選択を行なう機能を有しているものとする。
【００６５】
また、画像メモリコントローラ６５等への設定や、読み取り部５０書き込み部５７の制御を行なうＣＰＵ６８、およびそのプログラムやデータを格納するＲＯＭ６９、ＲＡＭ７０、ＮＶ−ＲＡＭ７４を備えている。
【００６６】
さらに、ＣＰＵ６８は、メモリコントローラ６５を介して、画像メモリ６６のデータの書き込み、読み出しが行なえる。原稿画像で画像メモリコントローラ６５へ送られた画像は、画像メモリコントローラ内にある画像圧縮装置によって画像データを圧縮した後、画像メモリ６６に送られる。
【００６７】
ここで、画像圧縮する理由は、次のようなものである。最大画像サイズ分の２５６階調のデータをそのまま画像メモリ６６に書き込むことも可能であるが、１枚の原稿画像で画像メモリを大変多く使用する。そこで、画像圧縮を行なうことで、限られた画像メモリを有効に利用できるようにしているのである。
【００６８】
また、一度に多くの原稿画像データを記憶することができるため、ソート機能として、貯えられた原稿画像イメージデータをページ順に出力することができる。
【００６９】
この場合、画像を出力する際に画像メモリ６６のデータをメモリコントローラ６５内の伸長装置で順次伸長しながら出力を行なう。
【００７０】
このような機能は、一般に「電子ソート」と呼ばれている。また画像メモリの機能を利用して、複数枚の原稿画像を、画像メモリの転写紙一枚分のエリアを分割したエリアに順次読み込むことも可能となる。
【００７１】
例えば、４枚の原稿画像を、画像メモリの転写紙一枚分の４等分されたエリアに順次書き込むことで、４枚の原稿が一枚の転写紙イメージに合成され集約されたコピー出力を得ることが可能となる。このような機能は一般に「集約コピー」と呼ばれている。
【００７２】
画像メモリ６６の画像はＣＰＵ６８からアクセス可能な構成となっている。このため画像メモリの内容を加工することが可能であり、例えば画像の間引き処理、画像の切り出し処理等が行なえる。加工には、メモリコントローラ６５のレジスタにデータを書き込むことで画像メモリの処理を行なうことができる。
【００７３】
加工された画像は再度画像メモリに保持される。画像メモリ６６は、処理を行なう画像データの大きさにより複数のエリアに分割して画像データの入出力を同時に実行可能な構成をとっている。各分割したエリアに画像データの入力、出力をそれぞれ並列に実行可能にするためにメモリコントローラとのインターフェースにリード用とライト用の二組のアドレス・データ線で接続されている。
【００７４】
これにより、エリア１に画像を入力（ライト）する間に、エリア２より画像を出力（リード）するという動作が可能になる。
【００７５】
画像メモリ６６は、多くの画像データを収納するためハードディスクを別に設けることもある。ハードディスクを用いることにより、外部電源が不用で永久的に画像を保持できる特徴もある。複数の定型の原稿（フォーマット原稿）をスキャナで読み込み保持するためには、このハードディスクが用いられるのが一般的である。
【００７６】
書き込み、読み出しには本体の作像やスキャナからの画像書き込みに対し処理速度の差を吸収する為に、画像メモリに一旦記憶され処理される。また、画像記憶装置からのデータを書き込みユニット５７に送る際は、画像メモリ６６に一旦記憶し、書き込みユニット５７に送ることになる。このように画像を記憶する装置の画像メモリ６６、ＨＤ７５、スキャナ画像、書き込みユニットに送る画像の入出力は全てメモリコントローラ６５によって画像パスを決められる。
【００７７】
このように、ＣＰＵ６８が画像データの入力、出力を決めることでＣＰＵに接続されたメモリコントローラ６５が画像の流れを切り替えることが可能となる。
【００７８】
ここで、図６（ａ）〜（ｆ）を用いて、セレクタ６４における１ページ分の画像信号について説明する。
【００７９】
フレームゲート信号／ＦＧＡＴＥ（同図（ｂ））は、１ページの画像データの副走査方向の有効期間を表している。主走査同期信号／ＬＳＹＮＣ（同図（ａ））は、１ライン毎の主走査同期信号であり、この信号が立ち上がった後の所定クロックで、画像信号が有効となる。主走査方向の画像信号が有効であることを示す信号が、ラインゲート信号／ＬＧＡＴＥ（同図（ｆ））である。
【００８０】
これらの信号は、画素クロックＶＣＬＫ（同図（ｄ））に同期しており、画素クロックＶＣＬＫの１周期に対し、１画素８ビット（２５６階調）のデータが送られてくる。本実施例では、転写紙への書込密度４００ｄｐｉ、最大画素数は、主走査４８００画素、副走査６８００画素である。また、本実施例では、画像データは値２５５に近いほど白画像になるとする。
【００８１】
なお、印字機能は図５に示すように、画像メモリ６６の後段で行ない（印字合成部７１）転写紙毎に印字を付加する。
【００８２】
以下、本発明における印刷物の特定箇所にインデックス紙の挿入が可能なモードについて説明する。
【００８３】
図３において、表紙/合紙キー２０８は、表紙や合紙挿入などのモードの設定を行なうためのモードであり、このキーを押下すると図７のような画面が表示される。
【００８４】
ここで、表紙モードとは、原稿の１ページ目を表紙用の用紙を挿入するおもて表紙と、１ページ目の原稿と最終ページの原稿を表紙用の用紙を挿入する両表紙の２種類あり、表紙用の用紙は図９に示されるような表紙トレイの設定と、図８に示されるようなトレイの用紙種類設定によって順番性のあるインデックス紙を指定することが可能である。
【００８５】
また、インデックス紙自体にコピーを行なうように設定することも可能である。ここで、トレイの用紙種類設定でインデックス紙を指定した場合には、インデックス紙のサイクル数をユーザに入力してもらう。
【００８６】
章区切りモードは、ユーザに各章の先頭ページを入力させることで、章の変わり目に用紙を挿入するモードである。
【００８７】
合紙モードは、原稿のページが変わるごとに、コピーに合紙用紙を挿入するモードである。
【００８８】
区切りモードは、複数のインデックス紙を利用する場合に便利なモードである。
【００８９】
例えば、図１９に示すような仕上がりをしたいときに、まとめたい章の範囲を設定したり、大項目／小項目設定をしたりすることができる。なお、インデックス紙Ａとインデックス紙Ｂとは、色が異なり（例えば、インデックスＡはクリーム色、インデックス紙Ｂは薄い水色など）、図面上、ハーフトーンの濃さの違いで示している（以下、同じ）。
【００９０】
さて、図７で詳細設定キーを押下すると図１４のような設定画面で区切りモードの詳細を設定することができる。また、図１４で排紙先設定キーを押下すると、図１５に示すような画面で印刷処理中に余剰になるインデックス紙の排出先を設定することができる。
【００９１】
また、図示していないが、コピーの区切りに仕切り紙を挿入するコピー仕切り、その他指定した範囲のページを指定した用紙に印刷する指定用紙モードや、指定用紙を挿入する指定挿入モードのようにユーザが紙を指定して挿入するモードにはいくつか種類がある。  これらのモードは、それぞれ表紙モードと同様に、図９等のように示されるようなそれぞれのモードで使用する用紙のトレイの設定と、図８に示されるようなトレイの用紙種類設定によって順番性のあるインデックス紙を指定することが可能である。
【００９２】
また、インデックス紙自体にコピーを行なうように設定することも可能である。ここで、トレイの用紙種類設定でインデックス紙を指定した場合には、インデックス紙のサイクル数をユーザに入力してもらう。
【００９３】
これらの設定方法は、例えば、操作部３０上に専用のキーが設けられてもよいし、初期設定で指定されるようにしてもよい。
【００９４】
ソートコピー（部数２以上）とおもて表紙、うら表紙・章区切りのいずれかのモードを組み合わせた場合に、表紙や章区切り紙等としてインデックス紙に指定されている給紙トレイが設定されている場合、部あたりのインデックス紙使用量とセットされているインデックス紙のサイクル数（タブ山数）が異なる場合、部の区切り目で端数として生じる不要なインデックス紙を自動排出して、部単位のインデックス紙のタブ山位置が同じになる様にする。
【００９５】
例として、５サイクル単位でセットされたインデックス紙をセットした場合で、１部あたり３枚のインデックス紙を使用した章区切りコピーの出力結果を図１０に示す。
【００９６】
また、章区切りで、自動不要タブ排紙が設定された複数のトレイを指定した場合の出力結果を図１１に示す。（１部にトレイＡのインデックス紙を３枚使用し、トレイＢのインデックス紙を２枚使用した場合）
【００９７】
仕切り紙挿入（ｎ部ごと／ジョブごと）や合紙モードで、仕切り紙や合紙にインデックス紙に指定されている給紙トレイが設定されている場合、ジョブの終了時点で、１サイクルに対する端数のインデックス紙を自動排出する。（ジョブ終了でインデックス紙のタブ山を先頭にする。）
【００９８】
例として、ソートコピー＋仕切り紙挿入（１部ごと）を原稿２枚で４部コピー出力した場合の出力結果を図１２に示す。
【００９９】
インデックス紙へのコピーを行なう場合、ソートコピーでは部毎に端数となるインデックス紙を自動排出し、非ソートコピー時はジョブが終了した時点で、１サイクルに対する端数のインデックス紙を自動排出する。（ジョブ終了でインデックス紙のタブ山を先頭にする。）
【０１００】
インデックス紙へのコピーをソートモードで原稿２枚を２部コピーした場合の出力結果を図１３に示す。
【０１０１】
更に、色分けした場合の仕上がりと、このときに自動排紙が行なわれるタイミング、自動排紙の内容を図１６，１７に示す。
【０１０２】
以下、適宜図を参照して本発明での印刷処理の流れを説明する。
【０１０３】
図１８は、本発明における請求項を全て適用した場合の印刷処理フローである。
【０１０４】
図２に示すプリントキーが押下されると、まず、印刷物の排紙先を決定し（処理１０１）、これを記憶装置に記録する。
【０１０５】
次に、ユーザの設定内容を参照し、インデックス紙を挿入するようなモードが設定されているかどうかをチェックする（判断１０２の結果がＹＥＳ）。
【０１０６】
インデックス紙を挿入するようなモードが設定されていない場合（判断１０２の結果がＮＯ）は、処理１０７（後述）へ移行し、すぐに印刷動作を開始する。
【０１０７】
この場合は、余剰なインデックス紙は発生せず、インデックス紙のチェックも行なう必要がないため、原稿に対する全ての印刷が終了したら、印刷処理は終了となる。
【０１０８】
一方、インデックス紙を挿入するようなモードが設定されている場合（判断１０２の結果がＹＥＳ）は、処理中に不要になるインデックス紙の自動排出先を決定し（処理１０３）、続いて複数のインデックス紙を利用しているかどうかのチェックを行なう（判断１０４）。
【０１０９】
インデックス紙を挿入するようなモードが設定されていて、印刷物の区分け処理にインデックス紙を複数種類使用しない場合について、説明する（判断１０４の結果がＮＯになる場合）。
【０１１０】
この場合、１種類のインデックス紙で印刷物の区分けを行なうので、処理１０７へ移行し、そのまま印刷処理を行ない、排紙して行く。排紙を行なう際は、先に記憶装置に記録しておいた排紙先設定を参照し、設定されている排紙先に印刷物の排出を行なう。
【０１１１】
印刷処理中に不要なインデックス紙が発生する場合は、その都度、記憶装置に記録してある、排紙方法や排紙先の設定を参照して、これに従って自動排出を行なう。不要なインデックス紙の自動排出が済んだら、インデックス紙の排出を実行したことを記録して、次の区分け処理で使用する複数のインデックス紙に対して自動排出を行なったかどうかをチェックする。
【０１１２】
例えば、印刷物の区分け処理にＡとＢのインデックス紙を利用する場合、Ａについて不要になるインデックス紙排出を実行したことを記録する。次に、Ａ，Ｂ全てについて自動排出を実行したかををチェックし、全て実行したことを確認した場合は、残りの印刷処理を継続する。まだ、チェックすべきインデックス紙が残っている場合は、その残り(ここででは、Ｂ)に対して、不要になるインデックス紙の有無を確認した上で自動排出を実行する。
【０１１３】
ここでは、インデックス紙を挿入するようなモードが設定されていて、印刷物の区分け処理にインデックス紙を複数種類使用しない場合なので、チェックする時点で全てのインデックス紙をチェックしたことになる。
【０１１４】
そして、残りの印刷処理を継続する。印刷するたびに不要になるインデックス紙の有無をチェックし、不要インデックス紙が発生した場合は、前記の処理を繰り返し行なう。原稿に対する全ての印刷処理を終えたら、印刷処理を終える。
【０１１５】
次に、インデックス紙を挿入するようなモードが設定されていて、印刷物の区分け処理にインデックス紙を複数種類使用する場合について説明する（判断１０４の結果がＹＥＳになる場合）。
【０１１６】
インデックス紙を複数種類使用する場合は、ユーザによって設定された、インデックス紙の挿入箇所、使用するそれぞれのインデックス紙のサイクル数、色分けや章区切りや項目分け等の挿入モードから、処理中に不要になるインデックス紙の排出方法を決定し（処理１０５）、これを記憶装置に記録する。
【０１１７】
また、次に記憶装置に記録されている印刷物の排出先を参照し、自動排出の排出先を決定する（処理１０６）。この時、本文の印刷物排出先と設定された不要インデックス紙の排出先が一致した場合、不要インデックス紙の排出先を本文の印刷物排出先と異なる排出先に変更する。図示していないが、不要インデックス紙の排出先をユーザが設定したものと異なる排出先に変更した場合は、排出先変更を知らせるメッセージを操作部に表示する。これによりユーザは不要インデックス紙の回収に混乱することがない。
【０１１８】
不要インデックス紙の排出先を決定したら、印刷処理を開始し（処理１０７）、順次排紙（処理１０８）を行なってゆく。
【０１１９】
自動排紙については前述の通りである。排出方法と排出先、そしてユーザによって設定されたインデックス紙のサイクル数、インデックス紙の挿入位置と挿入箇所数から印刷を行なうたびに不要になるインデックス紙の有無を確認し、不要になるインデックス紙が発生する場合は（判断１０９の結果がＹＥＳ）、排出方法に従った自動排紙を実施する（処理１１０）。不要インデックス紙が発生しない場合は（判断１０９の結果がＮＯ）、次の印刷を行なう。原稿に対する印刷処理を全て終了するまで、これをくり返し実施し（判断１１２のＮＯループ）、全て終了したら（判断１１２の結果がＹＥＳ）、印刷処理を終える。
【０１２０】
このようにして、本実施例では、複数種類の挿入用紙束を使用した場合でも、ユーザの希望通りの仕上がりを提供することができる。
【０１２１】
また、設定されたインデックス紙全てに対して、不要になるインデックス紙の自動整理をするので、印刷物を区分けする際に、複数種のインデックスを使用する場合でも、インデックスが揃った見栄えの良い仕上がりを提供できる。また、挿入用途に応じて挿入用紙がどの程度必要になるかをユーザ自身がわざわざ計算してセットするような手間を省くことができる。
【０１２２】
また、複数のインデックス紙を挿入する場合でも、印刷物全体でインデックスを一貫するような挿入処理と、それにあわせて不要インデックス紙の自動整理を行なうことによって、印刷物をインデックスではなく、インデックス紙の色や紙種等で区分けを行なうことができる。またそのような仕上がりを提供することができる。
【０１２３】
また、複数のインデックス紙を挿入する場合、使用するインデックス紙に項目を割り宛て、区分けの項目ごとにインデックスを揃えるための不要インデックス紙の自動整理を実施するので、項目ごとにインデックスを揃えた区分け行なうことができる。また、そのような仕上がりを提供できる。
【０１２４】
また、印刷物の区分けに複数のインデックス紙を利用する場合でも、処理途中に不要になるインデックス紙を種類ごとに排出先を分けて排出を実施するので、複数種の不要インデックス紙が混ざってしまうことを防ぐことができる。また、混ざってしまった不要インデックスをわざわざユーザが後で整理する手間を省くことができる。
【０１２５】
また、印刷物の区分けに複数のインデックス紙を利用する場合でも、それぞれのインデックス紙に対して不要になるインデックス紙の排出先をインデックス紙毎にそれぞれ設定できるので、不要インデックス紙が排出される場所が明確になり、何処に不要インデックス紙が排出されるかをわざわざユーザが探す手間を省くことができる。
【０１２６】
なお、本発明は、上述した実施例の画像形成装置と異なる構成のものであっても、同様にして適用することができる。
【図面の簡単な説明】
【０１２７】
【図１】本発明の一実施例にかかる画像形成装置の構成例を示した概略構成図。
【図２】操作部３０の構成例を示した概略構成図。
【図３】操作部３０の液晶タッチパネル３１の表示の一例を示した概略図。
【図４】メインコントローラを中心に、制御装置の構成の一例を示したブロック図。
【図５】画像処理ユニット（ＩＰＵ）４９の内部構成の一例を示したブロック図。
【図６】セレクタ６４における１ページ分の画像信号を説明するための波形図。
【図７】表示画面の一例を示した概略図。
【図８】トレイの用紙種類設定の設定画面の一例を示した概略図。
【図９】用紙のトレイの設定の設定画面の一例を示した概略図。
【図１０】５サイクル単位でセットされたインデックス紙をセットした場合で、１部あたり３枚のインデックス紙を使用した章区切りコピーの出力結果を例示した概略図。
【図１１】章区切りで、自動不要タブ排紙が設定された複数のトレイを指定した場合の出力結果を例示した概略図。
【図１２】ソートコピー＋仕切り紙挿入（１部ごと）を原稿２枚で４部コピー出力した場合の出力結果を例示した概略図。
【図１３】インデックス紙へのコピーをソートモードで原稿２枚を２部コピーした場合の出力結果を示した概略図。
【図１４】区切りモードの詳細を設定する設定画面の一例を示した概略図。
【図１５】印刷処理中に余剰になるインデックス紙の排出先を設定する設定画面の一例を示した概略図。
【図１６】色分けした場合の仕上がりと、このときに自動排紙が行なわれるタイミング、自動排紙の内容を説明するための概略図（図１７に続く）。
【図１７】色分けした場合の仕上がりと、このときに自動排紙が行なわれるタイミング、自動排紙の内容を説明するための概略図（図１６の続き）。
【図１８】本発明における請求項を全て適用した場合の印刷処理の一例を示したフローチャート。
【図１９】仕上がりの一例を示した概略図。
【符号の説明】
【０１２８】
２０  メインコントローラ
３０  操作部
【図１】
2006248672.tif 000003
【図５】
2006248672.tif 000004
【図６】
2006248672.tif 000005
【図１８】
2006248672.tif 000006
【図２】
2006248672.tif 000007
【図３】
2006248672.tif 000008
【図４】
2006248672.tif 000009
【図７】
2006248672.tif 000010
【図８】
2006248672.tif 000011
【図９】
2006248672.tif 000012
【図１０】
2006248672.tif 000013
【図１１】
2006248672.tif 000014
【図１２】
2006248672.tif 000015
【図１３】
2006248672.tif 000016
【図１４】
2006248672.tif 000017
【図１５】
2006248672.tif 000018
【図１６】
2006248672.tif 000019
【図１７】
2006248672.tif 000020
【図１９】
2006248672.tif 000021